(57)【特許請求の範囲】
【請求項１】
歯科実習机の天板の下部前面に左から顎模型を有する頭部模型、技工用バキュームマウス、診療機器を備えた診療機器保持具、技工機器を配置してなり、頭部模型を使用する歯科診療実習と、歯科技工実習の双方が行える歯科実習机であって、
上記診療機器保持具は、上記天板に対して前後スライド可能とした前後スライド手段の前端に設けられた左右スライド手段に設置され、上記診療機器保持具を前方にスライドさせた後、左にスライドさせることにより上記診療機器保持具を上記バキュームマウスの前方に配置させることが可能なことを特徴とする歯科実習机。
【請求項２】
請求項１に記載の歯科実習机において、
上記バキュームマウスの上方に水受用バットが配置されていることを特徴とする歯科実習机。
【発明の詳細な説明】
【０００１】
【発明の属する技術分野】
本発明は、頭部模型を使用する歯科の診療実習と技工実習の双方が行えるようにした歯科実習机に関する。
【０００２】
【従来の技術】
歯科実習には、大別して、顎模型を有する頭部模型を使用して、虫歯の疾患部位などの切削治療、矯正治療など、天然歯を保存する態様で治療を行う保存治療の診療実習及び、印象採取、義歯の作成、補綴物や矯正装置を作成、修理、加工する補綴治療の技工実習がある。
【０００３】
本出願人は、これら、歯科の診療実習と技工実習の双方が行えるようにした歯科実習机を各種提案している。
【０００４】
図５、６は、そのうち、特許公報第２８０６６０５号、及び、第２８０７５５１号に記載された歯科実習机を示すもので、図５は、その正面図、図６は右側面図である。
【０００５】
図５において、１０１は歯科実習机１００の天板、１０２は天板１０１の下方に設けられ、胴体模型１０３を前後にスライド調節可能に、かつ、傾動可能に支持する引き出し手段、１０４は頭部模型で、胴体模型１０３に連結されている。１０６は、胴体模型１０３の肩部付近の天板１０１前端部などに保持収容されている診療機器、１０７はバキュームシリンジホルダ、１０８はハンドピースなどの診療機器を収納する引き出し、１０９は、胴体模型１０４からはずした頭部模型１０３を収納する収納室、１１０はバキュームマウスであり、技工用吸引器をこれに装着して使用する。
【０００６】
１１１は技工用のマイクロモータ、１１２はエアーガン、１１３は技工用のフートコントローラ、１１４は診療機器駆動用のフートコントローラ、１１５はフィルムビューア、１１６は診療用照明具（不図示）の取り付けアーム、１１７は技工用照明具、１１８は操作手順などを表示する液晶表示装置（不図示）の取り付けアームである。ここでは、診療用照明具の取り付けアーム１１６と、液晶表示装置の取り付けアーム１１８とは、同心軸で上下にそれぞれ回動可能に支承されており、図６に示すように、１台の歯科実習机１００に、この図面に表示された前面側用と反対側の後面側用のそれぞれ１個ずつ設置されている。
【０００７】
１１９、１２０は前面用のコントロールボックスの前面、後面用のコントロールボックスの後面を示しており、その前面１１９には、技工用照明具、フルムビューア等のスイッチ群１２１，メインスイッチ１２２、ガスコック１２３、エアーコック１２４が備えられている。１２６は、この歯科実習机１００の前面側と後面側とを仕切るパネルである。
【０００８】
図６において、１０５は、胴体模型１０３に頭部模型１０４を首振り可能に、また、仰臥位あるいは立位に支持する支持体であり、１２５は、予備コンセントである。
【０００９】
ここで、仰臥位とは、頭部をほぼ水平に保った状態をいい、主に診療実習で用いられ、立位とは、頭部をほぼ垂直に保った状態をいい、主に技工実習で用いられる。
【００１０】
この歯科実習机１００は、胴体模型１０３が前後スライド可能で、また傾動可能であるので歯科診療の実態により良く合致した実習が可能であった。また、頭部模型１０４は支持体１０５によって主に診療実習用の仰臥位あるいは主に技工実習用の立位に支持保持され、診療実習用の診療機器１０６、フートコントローラ１１４、診療用照明具などに加え、技工実習用のバキュームマウス１１０、技工用マイクロモータ１１１、エアーガン１１２、フートコントローラ１１３なども備えているので、一台で歯科の診療実習と技工実習をすることができ、実習机を多面的に利用することができた。
【００１１】
また、図６に示すように、一連の機器を一台の実習机１００に対面させて対でもうけているので、双方から対向して実習机を使用することができ、設置床面積を効率的に利用することができた。
【００１２】
【発明が解決しようとする課題】
しかしながら、この従来の歯科実習机では、頭部模型の位置に対して、診療機器などは診療実習を行うのに好適な位置に設けられていたが、技工実習を行う場合には、実習生はバキュームマウスと技工機器が配置された右側位置に移動する必要があった。また、エアータービンハンドピース等の診療機器は、バキュームマウスの左側にあるため非常に使用しにくかった。
【００１３】
本発明は、このような事情に鑑みてなされたもので、診療実習を行う場合でも、また、技工実習を行う場合でも、それに必要な機器を簡単な操作で、好適な位置にセットすることができる歯科実習机を提供することを目的とする。
【００１４】
【課題を解決するための手段】
請求項１に記載の歯科実習用は、天板の下部前面に左から顎模型を有する頭部模型、技工用バキュームマウス、診療機器を備えた診療機器保持具、技工機器を配置してなり、頭部模型を使用する歯科診療実習と、歯科技工実習の双方が行え、上記診療機器保持具は、上記天板に対して前後スライド可能とした前後スライド手段の前端に設けられた左右スライド手段に設置され、上記診療機器保持具を前方にスライドさせた後、左にスライドさせることにより上記診療機器保持具を上記バキュームマウスの前方に配置させることが可能なことを特徴とする。
【００１５】
ここで、診療機器とは、スケーラ、マイクロモータハンドピース、エアータービンハンドピース、スリーウエイシリンジ、バキュームシリンジ、光重合器などの治療を主とする機器と、根管長測定器、口腔カメラなどの診断を主とする機器の双方が含まれ、保存治療の診療実習に使われる機器の全てを含むものである。技工機器とは、技工用のマイクロモータ、エアーガンなど、補綴治療の技工実習に使われる機器の全てを含むものである。
【００１６】
この歯科実習机は、診療機器を保持する診療機器保持具が、バキュームマウスの前方に配置されるため、診療実習の際に、頭部模型を用いた実習に都合がよく、技工実習の際には、診療機器保持具を収納できるので、技工実習の邪魔にならず、歯科の診療実習と技工実習の双方が行える歯科実習机として、非常に便利がよい。
【００１７】
また、ここでは、診療機器保持具は、天板の下に設けられた前後スライド手段と、そのスライド手段の前端に設けられた左右スライド手段とによって、前後に出し入れし、さらに左右に移動させることができるようになっている。
【００１８】
したがって、技巧実習の際には、バキュームマウスだけを引き出して使用し、一方、診療実習の際には、このバキュームマウスを収納して、代わりに、前後スライド手段で保持具を天板に対して、手前に引き出し、ついで、左右スライド手段で保持具を左に横移動させて、バキュームマウスの前方位置、つまり、バキュームマウスを引き出したときの位置とほぼ同じ位置に保持具をセットすることができる。
【００１９】
こうして、診療実習を行う場合でも、また、技工実習を行う場合でも、それに必要な機器を簡単な操作で、好適な位置にセットすることができる。
【００２０】
請求項２に記載の歯科実習机は、請求項１の歯科実習机において、上記バキュームマウスの上方に水受用バットが配置されていることを特徴とする。
【００２１】
この水受用バットとは、技工実習時にエアータービンハンドピースを使用することが可能となるように、エアータービンハンドピースから噴射されるスプレー水を受けるためのものである。この歯科実習机は、このような水受用バットをバキュームマウスの上方に設けているので、技工実習に便利がよい。
【００２２】
【発明の実施の形態】
以下に、本発明の実施の形態について図とともに説明する。
【００２３】
図１は、本発明の歯科実習机の一例を上部より見た平面図であり、（ａ）は診療機器保持具を共通好適位置にセットした状態、（ｂ）はバキュームマウスを共通好適位置にセットした状態である。これより、各図については、同じ部分には同じ符合を付して、重複説明を省略する。
【００２４】
この歯科実習机４０において、１は天板、２は歯科実習用の頭部模型、３は、天板１の下部に設置され、顎模型（不図示）を着脱自在に装着した頭部模型２を支持する支持体、４はスケーラ、マイクロモータハンドピース、エアータービンハンドピース、スリーウエイシリンジ、バキュームシリンジ、光重合器、根管長測定器など、診療実習に用いる診療機器、５はこれらの診療機器を保持し、詳細を後述する保持具前後スライド手段６、左右スライド手段７、補助支持手段８によって、収納状態［０］から、前後スライド、左右スライドされて、使用状態［２］まで、簡易に出し入れすることができるようになっている診療機器保持具である。
【００２５】
９は技工実習において、吸引器を装着して使用することができるようになっているバキュームマウス、１０は、バキュームマウス９を設置収容した引き出し様のバキューム前後スライド手段であり、図の収納状態［０］から、使用状態［１］まで、バキュームマウス９を簡易に出し入れすることができる。
【００２６】
なお、上述の説明でも用いたように、以下の図中や説明において、必要に応じて、符号の後に［  ］を用いて、その符号を付した部分の状態を示すこととする。つまり、例えば、診療機器保持具５［０］は収納状態の保持具５を、診療機器保持具５［２］は使用状態の保持具５を示している。
【００２７】
２８は技工用照明具、１３は、この歯科実習机４０を使用している実習生が、教師などを呼び出すときのコールランプ、１３ａは、そのコールランプ１３を支承している支柱に、回動可能に設けられたフリーアーム形式のランプアームである。
【００２８】
この歯科実習机４０においては、歯科の診療実習を行う場合には、図１（ａ）に示すように、頭部模型２の肩部近傍には、使用状態の診療機器保持具５［２］がセットされ、診療実習を好適に行うことができる。技工実習を行う場合には、図１（ｂ）に示すように、頭部模型２の肩部近傍には、使用状態のバキュームマウス９［１］がセットされ、技工実習を好適に行うことができる。
【００２９】
この場合、診療実習の場合の好適位置である診療機器保持具５［２］（図１（ａ））と、技工実習の場合の好適位置であるバキュームマウス９［１］（図１（ｂ））は、図から解るように相互に干渉しあう位置にある。したがって、診療機器保持具５［２］のときには、バキュームマウス９［０］となっており、また、バキュームマウス９［１］のときには診療機器保持具５［０］となっており、それぞれの使用に支障がないようになっている。
【００３０】
こうして、診療実習の際には、診療機器を保持する診療機器保持具が、技工実習の際には、その実習に頻繁に使用するバキュームマウスが、いずれの実習にも好適な共通位置に、簡易にかつ出し入れ可能にセットできるので、歯科の診療実習と技工実習の双方が行える歯科実習机として、非常に便利がよい。
【００３１】
また、この歯科実習机は、一点鎖線の想像線で示したように、左右に連結して設置することができるものであり、多人数の実習生の実習用として適している。
【００３２】
図２は、本発明の歯科実習机の保持具前後スライド手段と左右スライド手段の一例を概念的に説明するもので、（ａ）はその平面図、（ｂ）は側面図、（ｃ）は正面図である。
【００３３】
図２（ａ）は、天板１の裏面に取り付けられた保持具前後スライド手段６などを、天板１の上方から、天板１が無い状態で見たもので、その天板の前端を二点鎖線で示している。図２（ｂ）は、それを右側から見たもので、ここでは、天板１の下面を実線で、前端面を二点鎖線で示している。図２（ｃ）は、図２（ａ）を前方から見たもので、天板１の下面を実線で示している。また、これらの図は、保持具前後スライド手段、左右スライド手段などの機能を説明するための概念図であり、一部詳細は省略して、主要部分だけを示したものである。これらの図を用いて、保持具前後スライド手段と左右スライド手段を組み合わせた保持具セット手段について説明する。
【００３４】
このセット手段は、保持具前後スライド手段６、左右スライド手段７、これらのスライド手段６、７の双方に対して補助的に用いられる補助支持手段８から構成されている。
【００３５】
保持具前後スライド手段６は、天板１の裏に取り付けられるガイド体６ａ、このガイド体６ａに取り付けられる一組のガイド６ｂと、このガイド６ｂに対してスライドするスライドレール６ｃから構成されている。
【００３６】
ガイド体６ａは、断面形状がリブ付き軽量Ｃ型鋼の断面形状となっており、その立ち上がり部の外壁面に一組のガイド６ｂを長手方向に取り付けている。このガイド６ｂとスライドレール６ｃは、市販のものを用いればよく、転がり接触を用いたもの、滑り接触を用いたもの、いずれであってもよい。このスライドレール６ｃは、左右スライド手段７の固定側であるガイド体７ａに取り付けられている。したがって、左右スライド手段７のガイド体７ａは、保持具前後スライド手段６によって、天板１に対して、前後方向にスライドする。
【００３７】
左右スライド手段７は、上記のガイド体７ａと、このガイド体７ａ内で左右にスライドするスライドレール７ｂから構成されている。このガイド体７ａは、図２（ｂ）に示すように、断面形状が軽量Ｃ型鋼と同様となっており、保持具前後スライド手段６のスライドレール６ｃと連結され、また、スライドレール７ｂを内蔵するような構造となっている。このスライドレール８ｂも、市販のものを用いることができる。スライドレール７ｂには、診療機器保持具５が取りつけられている。したがって、スライドレール７ｂの左右移動に伴って、診療機器保持具５は、ガイド体７ａに対して、左右移動する。
【００３８】
補助支持手段８は、診療機器保持具５が保持具前後スライド手段６によって、前後スライドする際のスライド軌道の側部で、天板１の裏面に設けられた前後スライド補助レール８ａ、診療機器保持具５が左右スライド手段７によって、左右スライドする際のスライド軌道の側部で、天板１の裏面に設けられた左右スライド補助レール８ｂ、診療機器保持具５の上部に取り付けられ、これらの補助レール８ａ，８ｂに挟まれながら、診療機器保持具５と共に、前後スライドし、また、左右スライドする補助板８ｃから構成されている。
【００３９】
この補助板８ｃは、前後スライドする際には、前後スライド補助レール８ａに挟まれ、支持されながらスライドして、診療機器保持具５が前へスライドする程に、保持具前後スライド手段６のガイド６ｂとスライドレール６ｃの係合部分が少なくなり、診療機器保持具５が自重により、次第に下がってくるのを防止している。また、補助板８ｃは、補助具５が中間状態［１］、つまり、前後スライドが終了し、左右スライドに移る前の状態では、前後スライド補助レール８ａに挟まれた状態から離脱し、今度は、左右スライドに移行するに伴って、自然と左右スライド補助レール８ｂに挟まれ、支持されながらスライドして、同様に、診療機器保持具５が自重により、下へ下がるのを防止している。
【００４０】
収納状態の診療機器保持具５［０］は、保持具前後スライド手段６によって、中間状態の保持具５［１］となり、ついで、左右スライド手段７によって、使用状態の保持具５［２］となる。また、補助支持手段８によって、自重により下に下がるのが防止されている。こうして、保持具前後スライド手段６、左右スライド手段７、補助支持手段８を巧みに組み合わせた保持具セット手段によって、診療機器保持具５は、収納状態［０］では、バキュームマウス９とその前後スライド手段１０の収納状態［０］と干渉しない位置にありながら、使用状態［２］では、バキュームマウス９の使用状態［１］と同じ共通好適位置にセットされる。
【００４１】
なお、上述した保持具前後スライド手段６、左右スライド手段７、補助支持手段８から成る保持具セット手段の代わりに旋回可能なアームや公知の自在アームを使用することもでき、その場合にも、同様の効果を発揮する。
【００４２】
図３は、本発明の歯科実習机の全体構成を示すもので、（ａ）はその平面図、（ｂ）は正面図、図４（ｃ）は、本発明の歯科実習机の全体構成を示す側面図である。
【００４３】
この歯科実習机４０においては、上述した診療機器保持具５、保持具前後スライド手段６、左右スライド手段７、補助支持手段８、バキュームマウス９、バキューム前後スライド手段１０以外の部分については、従来例のものと共通する部分が多い。
【００４４】
図３（ａ）において、１３ｂは、図１で説明したランプアーム１３ａの先端に取り付けられた治療用無影灯で、自在にその位置を移動させ、保持することができる。
【００４５】
図３（ｂ）において、４Ａは技工用ハンドピースや、エアーガンなどの技工機器、１４はガスコック、１５は実習生の名札を挿入する名札表示部、１６は種々の器具を格納するための引き出し、１７は技工用フートコントローラ、１８は診療用フートコントローラ、１９は天板１の前側端から出し入れ可能に収納された水受用バット、２０は天板１や歯科実習机４０の設置機器全体を支える基部、２１はバキュームフィルタ、２２はバキュームシリンジ、２３はバキュームシリンジホルダ、２４はパソコン接続用の接続端子、２５は予備コンセント、２６はフィルムビューア、２７は種々のコントロールスイッチ、２９はモニターである。水受用バット１９は、技工実習時にエアータービンハンドピースを使用することが可能となるようにエアータービンハンドピースから噴射されるスプレー水を受けるために用いる。
【００４６】
この歯科実習机４０においては、従来のものに比べ、実習生は、持ち込んだパソコンを接続端子２４に接続して、モニター２９に表示させたり、また、診療実習や技工実習のデータを入力したり、操作したりすることができる。
【００４７】
図４（ｃ）において、３０は歯科実習机４０全体のコントロールボックスである。また、図３で説明したような各種機器が、中央を基準として、対向するように対で設けられており、実習生は対面して実習を行うことができ、設置床面積を効率よく節減することができる。
【００４８】
【発明の効果】
請求項１に記載の歯科実習机によれば、診療実習の際には、診療機器を保持する診療機器保持具が、技工実習の際には、その実習に頻繁に使用するバキュームマウスが、いずれの実習にも好適な位置に、簡易にかつ出し入れ可能にセットできるので、歯科の診療実習と技工実習の双方が行える歯科実習机として、非常に便利がよい。また、従来の実習机より左右の幅を必要以上に長くすることなくコンパクトにできる。
【００４９】
さらに、請求項１に記載の歯科実習机によれば、上記の効果に加え、診療機器保持具の好適位置へのセット手段を規定しているので、診療実習を行う場合でも、また、技工実習を行う場合でも、それに必要な機器を簡単な操作で、それぞれの実習に好適な位置にセットすることができる。
【００５０】
請求項２に記載の歯科実習机によれば、技工実習時にエアータービンハンドピースを使用することも可能となる。
【図面の簡単な説明】
【図１】本発明の歯科実習机の一例を上部より見た平面図であり、（ａ）は診療機器保持具を好適位置にセットした状態、（ｂ）はバキュームマウスを好適位置にセットした状態
【図２】本発明の歯科実習机の保持具前後スライド手段と左右スライド手段の一例を概念的に説明するもので、（ａ）はその平面図、（ｂ）は側面図、（ｃ）は正面図
【図３】本発明の歯科実習机の全体構成を示すもので、（ａ）はその平面図、（ｂ）は正面図
【図４】本発明の歯科実習机の全体構成を示すもので、（ｃ）はその側面図
【図５】従来の歯科実習机の正面図
【図６】従来の歯科実習机の側面図
【符号の説明】
【００５４】
１              天板
２              頭部模型
３              支持体
４              診療機器
４Ａ            技工機器
５              診療機器保持具
６              保持具前後スライド手段
７              左右スライド手段
８              補助支持手段
９              バキュームマスク
１０              バキューム前後スライド手段
４０              歯科実習机
【図１】
0003625690.tif 000002
【図２】
0003625690.tif 000003
【図３】
0003625690.tif 000004
【図４】
0003625690.tif 000005
【図５】
0003625690.tif 000006
【図６】
0003625690.tif 000007